(57)【要約】【課題】車両に搭載された端末装置の送信する情報を利用した追跡行為を困難にする技術を提供する。【解決手段】端末装置は、取得部、送信部３４、受信部３０、および通知部４８を備える。取得部は、端末装置１４を搭載する本車両の第１の位置情報を測位によって取得する。送信部３４は、第１の位置情報と、端末装置１４を識別するための識別情報とを含むパケット信号を送信する。受信部３０は、他の車両に搭載される他の端末装置１４からパケット信号を受信し、パケット信号に含まれる他の車両の第２の位置情報を取得する。通知部４８は、第２の位置情報と第１の位置情報とをもとに、警告を通知する。送信部３４は、停止条件を満たしている場合に、第１の位置情報と識別情報とを含むパケット信号の送信を停止し、受信部３０は、停止条件を満たしている場合であっても、他の端末装置１４から送信されるパケット信号を受信する。【選択図】図３
2017184225.tif 000002
【特許請求の範囲】
【請求項１】
端末装置であって、
前記端末装置が搭載される本車両の第１の位置情報を測位によって取得する取得部と、
前記取得部において取得した第１の位置情報と、前記端末装置を識別するための識別情報とを含むパケット信号を送信する送信部と、
他の車両に搭載される他の端末装置から送信されるパケット信号を受信し、パケット信号に含まれた前記他の車両の第２の位置情報を取得する受信部と、
前記受信部において取得した前記第２の位置情報と、前記取得部において取得した前記第１の位置情報とをもとに、警告を通知する通知部とを備え、
前記送信部は、停止条件を満たしている場合、前記第１の位置情報と前記識別情報とを含むパケット信号の送信を停止し、
前記受信部は、前記停止条件を満たしている場合であっても、前記他の端末装置から送信されるパケット信号を受信する端末装置。
【請求項２】
前記端末装置は、更に、
前記停止条件を満たしているかどうかを判定する制御部を備え、
前記制御部が前記停止条件を満たしていると判定した場合、
前記送信部は、前記停止条件を満たしていると判定された後に、前記取得部が取得した前記第１の位置情報と前記識別情報とを含むパケット信号の送信を停止する請求項１に記載の端末装置。
【請求項３】
前記制御部が前記停止条件を満たしていると判定した場合、
前記送信部は、前記第１の位置情報の代わりにダミーの位置情報を含むパケット信号を送信する請求項２に記載の端末装置。
【請求項４】
前記制御部は、前記停止条件を満たしていると判定した後、更に、再開条件を満たしているかどうかを判定し、
前記制御部が前記再開条件を満たしていると判定した場合、
前記送信部は、前記再開条件を満たしていると判定された後に、前記取得部が取得した前記第１の位置情報と前記識別情報とを含むパケット信号を送信する請求項２に記載の端末装置。
【請求項５】
前記制御部は、前記停止条件を満たしていると判定した後、更に、再開条件を満たしているかどうかを判定し、
前記制御部が前記再開条件を満たしていると判定した場合、
前記識別情報は変更され、
前記送信部は、前記再開条件を満たしていると判定された後に、前記取得部が取得した前記第１の位置情報と変更された前記識別情報とを含むパケット信号を送信する、
請求項２に記載の端末装置。
【請求項６】
前記送信部は、前記他の端末装置を識別するための識別情報を変更する要求を含むパケット信号を送信する、
請求項５に記載の端末装置。
【請求項７】
前記制御部は、タイマを備え、
前記制御部は、前記タイマを用いて前記送信部により前記パケット信号が送信されている間の所定の時点を起点とし、前記起点からの経過期間を測定し、前記タイマを用いて測定した期間が予め定めた期間よりも長くなった場合、前記制御部は、前記停止条件を満たしていると判定する、
請求項２に記載の端末装置。
【請求項８】
前記制御部は、前記送信部により前記パケット信号が送信されている間の所定の時点を起点とし、前記起点からの走行距離を測定し、前記測定した走行距離が予め定めた距離よりも長くなった場合、前記制御部は、前記停止条件を満たしていると判定する、
請求項２に記載の端末装置。
【請求項９】
前記制御部は、タイマを備え、
前記制御部が、前記停止条件を満たしていると判定した場合、前記制御部は、前記タイマを用いて前記パケット信号の送信を停止してからの経過期間を測定し、前記タイマにより測定した前記経過期間が予め定めた期間よりも長くなった場合、前記制御部は、前記再開条件を満たしていると判定する、
請求項４に記載の端末装置。
【請求項１０】
前記制御部が、前記停止条件を満たしていると判定した場合、前記制御部は、前記パケット信号の送信を停止してからの走行距離を測定し、測定した前記走行距離が予め定めた距離よりも長くなった場合、前記制御部は、前記再開条件を満たしていると判定する、
請求項４に記載の端末装置。
【発明の詳細な説明】
【技術分野】
【０００１】
本開示は、通信技術に関し、特に所定の情報が含まれた信号を送受信する端末装置に関する。
【背景技術】
【０００２】
車車間通信において、端末装置は、自車両の情報(車両識別情報、現在位置、進行方向、車速など)をパケット信号に入れて送信し、周辺車両に搭載された他の端末装置との間で相互に情報を共有することによって、他車両の接近等を検知して運転者に知らせる。しかしながら、車両識別情報や現在位置等の自車両の情報を常に送信し続けるので、これを受信することで視認距離外からでも特定車両の追跡が可能になってしまう。これに対して、これまでは、他車両が接近する状況でない場合に車両識別情報を変化させている（例えば、特許文献１参照）。
【先行技術文献】
【特許文献】
【０００３】
【特許文献１】特開２０１０−２０４９８２号公報
【発明の概要】
【発明が解決しようとする課題】
【０００４】
しかしながら、車両識別情報を変化させたとしても、現在位置等の車両識別情報以外の情報から変化前後のマッチングがとられてしまうことがあり得る。また、車両識別情報を短時間で変化させる通信装置や、そもそも受信機能のみを有する通信装置を追跡に利用された場合には、追跡されていることを検知することも困難である。
【０００５】
本発明はこうした状況に鑑みてなされたものであり、その目的は、車両に搭載された端末装置の送信する情報を利用した追跡行為を困難にする技術を提供することにある。
【課題を解決するための手段】
【０００６】
本開示の一態様に係る端末装置は、端末装置が搭載される本車両の第１の位置情報を測位によって取得する取得部と、取得部において取得した第１の位置情報と、端末装置を識別するための識別情報とを含むパケット信号を送信する送信部と、他の車両に搭載される他の端末装置から送信されるパケット信号を受信し、パケット信号に含まれた他の車両の第２の位置情報を取得する受信部と、受信部において取得した第２の位置情報と、取得部において取得した第１の位置情報とをもとに、警告を通知する通知部とを備える。送信部は、停止条件を満たしている場合、第１の位置情報と識別情報とを含むパケット信号の送信を停止し、受信部は、停止条件を満たしている場合であっても、他の端末装置から送信されるパケット信号を受信する。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本開示によれば、本車両を追跡する車両に搭載された端末装置が本車両に搭載された端末装置から送信されるパケット信号に含まれる情報を利用し、本車両を追跡する行為を困難にできる。
【図面の簡単な説明】
【０００９】
【図１】図１は実施の形態１に係る通信システムの構成を示す図である。
【図２】図２は、図１の通信システムにおいて規定されるフレームのフォーマットを示す図である。
【図３】図３は、実施の形態１に係る端末装置の構成を示す図である。
【図４】図４は、図１の通信システムによる処理の概要を示す図である。
【図５】図５は、図３の端末装置による送信手順を示すフローチャートである。
【図６】図６は、図３の端末装置による別の通知手順を示すフローチャートである。
【図７】図７は、実施の形態２に係る通信システムの比較対象における車両ＩＤ変更処理の概要を示す図である。
【図８】図８は、実施の形態２に係る通信システムにおける車両ＩＤ変更処理の概要を示す図である。
【図９】図９は、実施の形態２に係る通信システムによる変更手順を示すシーケンス図である。
【図１０】図１０は、実施の形態２に係る通信システムによる別の変更手順を示すシーケンス図である。
【発明を実施するための形態】
【００１０】
（実施の形態１）
本開示を具体的に説明する前に、概要を述べる。本開示の実施の形態１は、車両に搭載された端末装置間において車車間通信を実行するとともに、交差点等に設置された基地局装置から端末装置へ路車間通信も実行する通信システムに関する。このような通信システムは、ＩＴＳ（Ｉｎｔｅｌｌｉｇｅｎｔ  Ｔｒａｎｓｐｏｒｔ  Ｓｙｓｔｅｍｓ）とも呼ばれる。通信システムは、ＩＥＥＥ８０２．１１等の規格に準拠した無線ＬＡＮ（Ｌｏｃａｌ  Ａｒｅａ  Ｎｅｔｗｏｒｋ）と同様に、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）と呼ばれるアクセス制御機能を使用する。そのため、複数の端末装置によって同一の無線チャネルが共有される。一方、ＩＴＳでは、不特定多数の端末装置へ情報を送信する必要がある。そのような送信を効率的に実行するために、本通信システムは、パケット信号をブロードキャスト送信する。
【００１１】
本実施の形態に係る端末装置を搭載する車両の１つを本車両という。本実施の形態では、本車両に搭載された端末装置の動作を中心に説明を行う。また、本車両とは異なる車両を他の車両という。他の車両にも端末装置が搭載されている。他の車両に搭載された端末装置は、本実施の形態に係る端末装置と同じものであってもよいし、異なるものであってもよい。
【００１２】
ここで、本車両に搭載された端末装置、他の車両に搭載された端末装置を区別して説明をするために、本車両に搭載された端末装置を本端末装置、他の車両に搭載された端末装置を他の端末装置ということがある。
【００１３】
車車間通信として、本端末装置は、本車両の位置（存在位置ともいう）・速度・進行方向等の位置情報を含むパケット信号をブロードキャスト送信する。また、他の端末装置は、本端末装置からパケット信号を受信するとともに、パケット信号に格納された前述の情報をもとに、本端末装置を搭載する車両の接近等を認識する。ここで、路車間通信と車車間通信との干渉を低減するために、基地局装置は、複数のサブフレームが含まれたフレームを繰り返し規定する。基地局装置は、路車間通信のために、複数のサブフレームのいずれかを選択し、選択したサブフレームの先頭部分の期間において、制御情報等が格納されたパケット信号をブロードキャスト送信する。
【００１４】
制御情報には、当該基地局装置がパケット信号をブロードキャスト送信するための期間（以下、「路車送信期間」という）に関する情報が含まれている。基地局装置からのパケット信号を受信した端末装置は、制御情報をもとに路車送信期間を特定し、路車送信期間以外の期間（以下、「車車送信期間」という）においてＣＳＭＡ方式にてパケット信号をブロードキャスト送信する。その結果、路車間通信と車車間通信とが時分割多重される。なお、基地局装置からの制御情報を受信できない端末装置、つまり基地局装置によって形成されたエリアの外に存在する端末装置は、フレームの構成に関係なくＣＳＭＡ方式にてパケット信号をブロードキャスト送信する。
【００１５】
このような状況下において、本実施の形態に係る端末装置は、他の端末装置あるいは基地局装置から受信したパケット信号に含まれる情報をもとに、支援発生条件を満足した場合に運転支援を実行する。また、運転支援とは、運転者に対して運転を支援することであり、例えば、右折時衝突防止支援、出会い頭衝突防止支援である。右折時衝突防止支援は、日本のように車両が道路の左側を走行する場合において、車両の右折時に、対向して走行している他の車両の存在を通知する。出会い頭衝突防止支援は、車両が直進するとき、他の車両が交差するように接近している場合に接近車両の存在を運転者に通知する。なお、運転支援は複数種類規定されているが、公知の技術が使用されればよい。
【００１６】
一方、他の端末装置において運転支援を実行させるために、本端末装置はパケット信号をブロードキャスト送信しているが、パケット信号には、本端末装置あるいは本車両を識別するための識別情報（以下、「車両ＩＤ（Identification）」ともいう）が含まれる。本端末装置は、例えば、乱数を生成する乱数生成器を備える。例えば、本端末装置が起動されたとき、本端末装置は、乱数生成器が生成した乱数を用いて車両ＩＤを生成する。これにより車両ＩＤは、本端末装置の起動時にランダムに設定される。しかしながら、前述のごとく、本端末装置から送信されるパケット信号を他の端末装置が受信することによって、他の車両に追跡されるおそれがある。本実施の形態は、本端末装置からブロードキャスト送信されるパケット信号を他の端末装置が受信することにより、他の端末装置を搭載する他の車両が本車両を追跡する行為の困難化を目的とする。本端末装置は、予め定めた停止条件を満たした場合に、パケット信号のブロードキャスト送信を停止する。その場合でも、運転支援を実行可能にするために、パケット信号の受信は継続される。一方、本端末装置は、パケット信号の送信の停止後、予め定めた再開条件を満たした場合に、パケット信号の送信を再開する。その際、車両ＩＤが変更される。
【００１７】
図１は、本開示の実施の形態１に係る通信システム１００の構成を示す。これは、１つの交差点を上方から見た場合に相当する。通信システム１００は、基地局装置１０、車両１２と総称される第１車両１２ａ、第２車両１２ｂ、第３車両１２ｃ、第４車両１２ｄ、第５車両１２ｅ、第６車両１２ｆ、第７車両１２ｇ、第８車両１２ｈ、ネットワーク２００を含む。ここでは、第１車両１２ａのみに端末装置１４が搭載されることを図示しているが、第２車両１２ｂ〜第８車両１２ｈのそれぞれに端末装置１４が搭載される。また、エリア２０２が、基地局装置１０の周囲に形成され、エリア外２０４が、エリア２０２の外側に形成されている。
【００１８】
図示のごとく、図面の水平方向、つまり左右の方向に向かう道路と、図面の垂直方向、つまり上下の方向に向かう道路とが中心部分で交差している。ここで、図面の上側が方角の「北」に相当し、左側が方角の「西」に相当し、下側が方角の「南」に相当し、右側が方角の「東」に相当する。また、２つの道路の交差部分が「交差点」である。第１車両１２ａ、第２車両１２ｂが、左から右へ向かって進んでおり、第３車両１２ｃ、第４車両１２ｄが、右から左へ向かって進んでいる。また、第５車両１２ｅ、第６車両１２ｆが、上から下へ向かって進んでおり、第７車両１２ｇ、第８車両１２ｈが、下から上へ向かって進んでいる。また、車両１２の一例は自動車である。
【００１９】
通信システム１００において、基地局装置１０は、交差点に固定して設置される。基地局装置１０は、端末装置間の通信を制御する。基地局装置１０は、図示しないＧＰＳ衛星から受信した信号、あるいは図示しない他の基地局装置１０にて形成されたフレームをもとに、複数のサブフレームが含まれたフレームを繰り返し生成する。例えば、ＧＰＳ（Global Positioning System）衛星から受信した信号において示された「１ｓｅｃ」の期間を１０分割することによって、「１００ｍｓｅｃ」のフレームが１０個生成される。ここで、各サブフレームの先頭部分に路車送信期間が設定可能であるような規定がなされている。
【００２０】
基地局装置１０は、フレーム中の複数のサブフレームのうち、他の基地局装置１０によって路車送信期間が設定されていないサブフレームを選択する。基地局装置１０は、選択したサブフレームの先頭部分に路車送信期間を設定する。基地局装置１０は、設定した路車送信期間においてパケット信号をブロードキャスト送信する。路車送信期間において、複数のパケット信号がブロードキャスト送信されることもある。パケット信号は、制御情報、ペイロードによって構成されている。制御情報には、路車送信期間を設定したサブフレーム番号等が含まれる。また、ペイロードには、例えば、事故情報、渋滞情報、信号情報等が含まれる。これらのデータは、ネットワーク２００から取得される。
【００２１】
端末装置１４は、前述のごとく、車両１２に搭載され移動可能である。端末装置１４は、基地局装置１０からのパケット信号を受信すると、エリア２０２に存在すると推定する。端末装置１４は、エリア２０２に存在する場合、パケット信号に含まれた制御情報、特に路車送信期間が設定されたタイミングに関する情報およびフレームに関する情報をもとに、フレームを生成する。その結果、複数の端末装置１４のそれぞれにおいて生成されるフレームは、基地局装置１０において生成されるフレームに同期する。端末装置１４は、路車送信期間とは異なった期間である車車送信期間においてパケット信号をブロードキャスト送信する。ここで、車車送信期間においてＣＳＭＡ／ＣＡが実行される。一方、端末装置１４は、エリア外２０４に存在していると推定した場合、フレームの構成に関係なく、ＣＳＭＡ／ＣＡを実行することによって、パケット信号をブロードキャスト送信する。本端末装置１４は、他の端末装置１４からのパケット信号をもとに、他の端末装置１４が搭載された他の車両１２の接近等を認識する。
【００２２】
図２は、通信システム１００において規定されるフレームのフォーマットを示す図である。図２の（ａ）は、フレームの構成を示す図である。フレームは、第１サブフレームから第Ｎサブフレームと示されるＮ個のサブフレームによって形成されている。これは、端末装置１４がブロードキャスト送信に使用可能なサブフレームを複数時間多重することによってフレームが形成されているといえる。例えば、フレームの長さが１００ｍｓｅｃであり、Ｎが８である場合、１２．５ｍｓｅｃの長さのサブフレームが規定される。Ｎは、８以外であってもよい。
【００２３】
図２の（ｂ）は、図示しない第１基地局装置１０ａによって生成されるフレームの構成を示す図である。第１基地局装置１０ａは、基地局装置１０のうちの任意の１つに相当する。第１基地局装置１０ａは、第１サブフレームの先頭部分に路車送信期間を設定する。路車送信期間は、基地局装置１０がパケット信号をブロードキャスト送信可能な期間である。また、第１基地局装置１０ａは、第１サブフレームにおいて路車送信期間につづいて車車送信期間を設定する。車車送信期間とは、端末装置１４がパケット信号をブロードキャスト送信可能な期間である。つまり、第１基地局装置１０ａは、第１サブフレームの先頭期間である路車送信期間においてパケット信号をブロードキャスト送信可能であり、かつフレームのうち、路車送信期間以外の車車送信期間において端末装置１４がパケット信号をブロードキャスト送信可能であるような規定がなされる。さらに、第１基地局装置１０ａは、第２サブフレームから第Ｎサブフレームに車車送信期間のみを設定する。
【００２４】
図２の（ｃ）は、図示しない第２基地局装置１０ｂによって生成されるフレームの構成を示す図である。第２基地局装置１０ｂは、第２サブフレームの先頭部分に路車送信期間を設定する。また、第２基地局装置１０ｂは、第２サブフレームにおける路車送信期間の後段、第１サブフレーム、第３サブフレームから第Ｎサブフレームに車車送信期間を設定する。図２の（ｄ）は、図示しない第３基地局装置１０ｃによって生成されるフレームの構成を示す図である。第３基地局装置１０ｃは、第３サブフレームの先頭部分に路車送信期間を設定する。また、第３基地局装置１０ｃは、第３サブフレームにおける路車送信期間の後段、第１サブフレーム、第２サブフレーム、第４サブフレームから第Ｎサブフレームに車車送信期間を設定する。このように、複数の基地局装置１０は、互いに異なったサブフレームを選択し、選択したサブフレームの先頭部分に路車送信期間を設定する。
【００２５】
図３は、実施の形態１に係る端末装置１４の構成を示す図である。端末装置１４は、通信部２０、処理部２２、制御部２４を含む。通信部２０は、受信部３０、タイミング特定部３２、送信部３４を含む。処理部２２は、第１取得部４０、第２取得部４２、生成部４４、通知部４８を含む。本実施の形態では、前述のごく、図３に示す端末装置１４は、車両１２に搭載可能である。
【００２６】
受信部３０は、アンテナを介して、図示しない他の端末装置１４あるいは基地局装置１０からのパケット信号を受信する。受信部３０は、受信した無線周波数のパケット信号に対して周波数変換を実行し、ベースバンドのパケット信号を生成する。また、受信部３０は、ベースバンドのパケット信号に対して、復調を実行する。ここで、通信システム１００は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式に対応するので、受信部３０は、ＦＦＴ（Ｆａｓｔ  Ｆｏｕｒｉｅｒ  Ｔｒａｎｓｆｏｒｍ）も実行する。さらに、受信部３０は、復調した結果を処理部２２、タイミング特定部３２に出力する。
【００２７】
タイミング特定部３２は、受信部３０からの復調結果が、図示しない基地局装置１０からのパケット信号である場合に、路車送信期間が配置されたサブフレームのタイミングを特定する。その際、タイミング特定部３２は、図１のエリア２０２内に存在すると推定する。タイミング特定部３２は、基地局装置１０からのパケット信号に含まれた情報をもとに、基地局装置１０において形成されたフレームに同期したフレームを生成する。一方、タイミング特定部３２は、基地局装置１０からのパケット信号を入力していない場合、図１のエリア外２０４に存在すると推定する。
【００２８】
タイミング特定部３２は、エリア２０２に存在していることを推定した場合、車車送信期間を選択する。また、タイミング特定部３２は、車車送信期間内でＣＳＭＡ／ＣＡを開始することによって送信タイミングを決定する。タイミング特定部３２は、フレームの構成を考慮せずに、ＣＳＭＡ／ＣＡを実行することによって、送信タイミングを決定する。タイミング特定部３２は、決定した送信タイミングを送信部３４に通知する。
【００２９】
送信部３４は、処理部２２からのデータに対して、変調を実行する。前述のごとく、通信システム１００は、ＯＦＤＭ変調方式に対応するので、送信部３４は、ＩＦＦＴ（Ｉｎｖｅｒｓｅ  Ｆａｓｔ  Ｆｏｕｒｉｅｒ  Ｔｒａｎｓｆｏｒｍ）も実行する。また、送信部３４は、その結果であるベースバンドのパケット信号に対して周波数変換を実行し、無線周波数のパケット信号を生成する。さらに、送信部３４は、タイミング特定部３２から通知された送信タイミングにおいて、無線周波数のパケット信号をアンテナからブロードキャスト送信する。
【００３０】
第１取得部４０は、図示しないＧＰＳ受信機、ジャイロスコープ、車速センサ等を含んでおり、それらを用いて測位（または測定ともいう）されるデータによって、本端末装置１４が搭載される車両１２（以下、「本車両１２」ともいう）の存在位置、進行方向、移動速度等（以下、「第１の位置情報」と総称する）を取得する。なお、存在位置は、緯度・経度によって示される。進行方向は、方位角によって示され、北を基準方位（０度）として時計回りを正の角度としている。これらの取得には公知の技術が使用されればよいので、ここでは説明を省略する。
【００３１】
また、第１取得部４０は、上述の測位（または測定ともいう）を新たに行う度に、新たな第１の位置情報を取得するのでもよい。新たな測位を行うタイミングは、例えば、一定時間ごとであってもよいし、そうでなくてもよい。この場合、第１取得部４０は、第１の位置情報を新たに取得する度に、新たに取得した第１の位置情報を生成部４４および通知部４８へ出力するのでもよい。
【００３２】
また、第１取得部４０は、本車両１２の方向指示器に接続され、方向指示器によって示された方向の情報（以下、「ウインカ情報」という）も取得する。第１取得部４０は、第１の位置情報、ウインカ情報を生成部４４、通知部４８へ出力する。また、第１取得部４０は、第１の位置情報を新たに取得する度にウインカ情報を新たに取得してもよい。この場合、第１取得部４０は、第１の位置情報を取得する度に、新たに取得した第１の位置情報およびウインカ情報を生成部４４および通知部４８へ出力するのでもよい。
【００３３】
受信部３０からは、前述のごとく、復調した結果が出力される。復調した結果には、他の車両１２に搭載される他の端末装置１４から送信された他の車両１２の存在位置、進行方向、移動速度等（以下、「第２の位置情報」と総称する）が含まれる。また、復調した結果には、他の端末装置１４あるいは他の車両１２を識別するための車両ＩＤも含まれる。第２の位置情報および車両ＩＤは、通知部４８に入力される。
【００３４】
第２取得部４２は、本端末装置１４あるいは本車両１２を識別するための識別情報に対応する車両ＩＤを取得する。第２取得部４２は、例えば、乱数を生成する乱数生成器を含む。例えば、第２取得部４２は、本端末装置１４が起動されるタイミングにおいて乱数生成器により生成された乱数を用いて車両ＩＤを生成する。第２取得部４２は、乱数生成器により生成された乱数を車両ＩＤとしてもよい。これにより、第２取得部４２は、ランダムに車両ＩＤを生成する。第２取得部４２は、車両ＩＤを生成部４４に出力する。なお、第２取得部４２は、本端末装置１４が再起動されるか、または車両ＩＤの変更の指示を受け取らない限り、生成部４４に出力する車両ＩＤの値を変更することはないものとする。また、生成部４４は、第２取得部４２から出力された車両ＩＤを図示しないメモリに蓄積してもよい。
【００３５】
通知部４８は、第１取得部４０からの第１の位置情報およびウインカ情報、受信部３０からの第２の位置情報および車両ＩＤを受け取る。通知部４８は、受け取ったこれらの情報が支援発生条件を満たしている場合に、支援の実行を決定する。支援発生条件は、運転支援ごとに定められている。例えば、右折時衝突防止支援に対する支援発生条件が、（ｉ）本車両１２の速度が所定速度以下であり、（ｉｉ）本車両１２の右ウインカがオンとなっており、（ｉｉｉ）本車両１２と他の車両１２との位置関係がすれ違いであり、（ｉｖ）本車両１２と他の車両１２とが所定時間以内に遭遇する場合と定められる。また、出会い頭衝突防止支援に対する支援発生条件が、（ｉ）本車両１２と他の車両１２との位置関係が交差であり、（ｉｉ）本車両１２と他の車両１２とが所定時間以内に遭遇する場合と定められる。支援の実行を決定した場合、通知部４８は、警告を通知する。警告は、画面と音声との少なくとも一方によって通知される。
【００３６】
生成部４４は、第１取得部４０から出力された第１の位置情報およびウインカ情報、第２取得部４２から出力された車両ＩＤを受け取る。生成部４４は、受け取った第１の位置情報、ウインカ情報および車両ＩＤを含むパケット信号を生成する。生成部４４は、生成したパケット信号を送信部３４に出力する。生成部４４は、本端末装置１４が起動されるタイミングで、第２取得部４２から出力された車両ＩＤを図示しないメモリに蓄積した場合、車両ＩＤをメモリから読み出してもよい。または、生成部４４は、第１の位置情報を受け取るタイミングで、第２取得部４２から車両ＩＤを受け取るのでもよい。また、第１取得部４０から新たな第１の位置情報および新たなウインカ情報を受け取る度に、生成部４４は、受け取った新たな第１の位置情報および新たなウインカ情報、ならびに車両ＩＤを含むパケット信号を生成してもよい。
【００３７】
制御部２４は、通信部２０、処理部２２の動作を制御する。制御部２４の処理を詳細に説明する前に、ここでは、他の車両１２による追跡を防止するための通信システム１００の処理の概要を図４を使用しながら説明する。
【００３８】
図４は、通信システム１００による処理の概要を示す図である。ここでは、第１車両１２ａを第２車両１２ｂが追跡している状況を想定する。例えば、図４には示されていないが、第１車両１２ａおよび第２車両１２ｂには、図３に示す端末装置１４が搭載されているとする。また、第１車両１２ａおよび第２車両１２ｂのそれぞれに搭載された端末装置１４を区別するために、第１車両１２ａに搭載された端末装置１４を本端末装置１４、第２車両１２ｂに搭載された端末装置１４を他の端末装置１４として説明する。
【００３９】
また、初期状態において、第１車両１２ａはポイントＰ１に位置し、第２車両１２ｂはポイントＰ０に位置する。本端末装置１４は、第１の位置情報と車両ＩＤとを含むパケット信号をブロードキャスト送信する。なお、ウインカ情報は、本端末装置１４の送信部３４から送信されるパケット信号に含まれていてもよいし、含まれていなくてもよい。
【００４０】
一方、他の端末装置１４は、本端末装置１４からのパケット信号を受信する。また、他の端末装置１４は、本端末装置１４から送信されたパケット信号に含まれる第１の位置情報と車両ＩＤとをもとに第１車両１２ａを特定し、他の端末装置１４を搭載する第２車両１２ｂは第１車両１２ａを追跡する。第１車両１２ａが、ポイントＰ２まで進行すると、本端末装置１４は、パケット信号のブロードキャスト送信を停止する。これにより、停止した時点よりも後に、本端末装置１４の第１取得部４０が取得した第１の位置情報と車両ＩＤとを含むパケット信号が、送信部３４によりブロードキャスト送信されることはない。よって他の端末装置１４は、本端末装置１４からパケット信号を受信しなくなるので、パケット信号に含まれる情報を用いての第１車両１２ａの特定ができなくなる。このため、第２車両１２ｂによる第１車両１２ａの追跡は困難になる。そのため、第２車両１２ｂは、ポイントＰ４に到達し、第１車両１２ａを追跡できていない。また、第１車両１２ａが左折してポイントＰ３に到達すると、到達した時点よりも後に、本端末装置１４の第１取得部４０が取得した第１の位置情報と車両ＩＤとを含むパケット信号を送信する。これにより、本端末装置１４の送信部３４によるパケット信号の送信が再開される。
【００４１】
このような処理を実現するために、図３の制御部２４は、停止条件を満たしているかどうかを判定し、停止条件を満たしていると判定した場合に、制御部２４は、送信部３４にパケット信号の送信の停止を指示する。指示を受けた送信部３４は、第１の位置情報と車両ＩＤとを含むパケット信号の送信を停止する。この場合、停止条件を満たしていると判定された後に、第１取得部４０によって取得された第１の位置情報と車両ＩＤとを含むパケット信号を生成部４４から受けたった場合、送信部３４は、受け取ったパケット信号を破棄してもよい。これにより、停止条件を満たしていると判定された後に、第１取得部４０によって取得された第１の位置情報と車両ＩＤとを含むパケット信号は送信部３４から送信されることはない。
【００４２】
一方、制御部２４は、停止条件を満たしている場合においても、受信部３０にパケット信号を受信させる。そのため、受信部３０は、停止条件を満たしている場合であっても、パケット信号の受信を継続し、通知部４８は、支援判定の実行を継続する。
【００４３】
ここでは、停止条件の一例を列記するが、いずれかの停止条件を満足した場合に、本端末装置１４の制御部２４は、例えば、送信部３４にパケット信号の送信の停止を指示する。
（１）制御部２４は、図示しないタイマを備え、送信部３４からパケット信号を送信している状況において、タイマを用いて所定の起点からの期間を測定する。この場合、測定した期間が予め定めた期間（一定期間）よりも長くなることが停止条件である。一定期間は固定長であるが、これを固定長とせずにランダムに変化させてもよい。これにより、停止条件を満たす場合がランダムなタイミングで発生する。また、制御部２４のタイマにおける期間の測定は、本車両１２（第１車両１２ａ）の速度がしきい値以下である場合に限定されてもよい。さらに、制御部２４のタイマにおける期間の測定は、第１車両１２ａの後方を撮像可能な撮像装置において撮像された画像に、同一の他の車両１２が含まれている場合に限定されてもよい。
【００４４】
（２）制御部２４は、第１取得部４０からの第１の位置情報を受け取り、送信部３４からパケット信号を送信している状況において、所定の起点からの距離を測定する。この場合、測定した距離が予め定めた距離間（一定距離）よりも長くなることが停止条件である。なお、一定期間の場合と同様に、一定距離は固定長であるが、これを固定長とせずにランダムに変化させてもよい。
（３）制御部２４は、受信部３０における他の端末装置１４から送信されたパケット信号の受信状況を確認する。なお、他の端末装置１４は、通知部４８において運転支援の対象となる他の車両１２（第２車両１２ｂ）に搭載された他の端末装置１４に限定されてもよい。この場合、当該パケット信号が一定期間にわたって受信されないことが停止条件である。
【００４５】
（４）制御部２４は、第１取得部４０からの第１の位置情報を受け取るとともに、所定のエリア、例えば、自宅周辺、目的地周辺等を予め規定する。この場合、第１車両１２ａが当該エリアに進入すること、あるいは出て行くことが停止条件である。
（５）制御部２４は、第１取得部４０からウインカ情報を受け取る。この場合、ウインカの状態が変化することが停止条件である。
（６）制御部２４は、図示しないインターフェイスを介して運転者からの指示を受けつける。この場合、運転者からの指示を受けつけることが停止条件である。
（７）制御部２４は、受信部３０における基地局装置１０からのパケット信号の受信状況を確認する。この場合、本端末装置１４が基地局装置１０からのパケット信号を受信している状態、すなわち、本端末装置１４を搭載する第１車両１２ａが図１に示したエリア２０２に存在することが停止条件である。この場合、エリア２０２において、第１車両１２ａが、基地局装置１０との間の路車間通信によって右折時衝突防止支援などの運転支援がなされる運転支援対象車であることを停止条件とすることがより好ましい。これにより、基地局装置１０との間の路車間通信によって右折時衝突防止支援などの運転支援がなされているので、送信停止してもその影響を小さくすることができる。
【００４６】
また、制御部２４は、停止条件を満たしていると判定した場合、更に、再開条件を満たしているかどうかを判定する。制御部２４が、停止条件を満たしていると判定した場合、送信部３４は、第１の位置情報と車両ＩＤとを含むパケット信号の送信を停止している状態となっている。
【００４７】
この状態において、制御部２４は、再開条件を満たしているかどうかを判定する。制御部２４は、再開条件を満たしていると判定した場合に、送信部３４にパケット信号の送信の再開を指示する。指示を受け取った送信部３４は、再開条件を満たしていると判定された後に、生成部４４から受け取ったパケット信号をブロードキャスト送信する。生成部４４から受け取ったパケット信号は、再開条件を満たしていると判定された後に、第１取得部４０によって取得された第１の位置情報と車両ＩＤとを含む。このようにすることで、再開条件を満たしていると判定された後に、本端末装置１４の送信部３４によるパケット信号の送信は再開されることになる。
【００４８】
なお、本端末装置１４の制御部２４は、再開条件を満たしていると判定した場合、第２取得部４２に車両ＩＤの変更を指示してもよい。指示を受け取った第２取得部４２は、乱数生成器により新たに生成される乱数を用いて車両ＩＤを新たに生成する。または新たに生成される乱数を車両ＩＤとしてもよい。このようにして、車両ＩＤは変更される。第２取得部４２は、変更された車両ＩＤを、生成部４４に出力する。なお、生成部４４は、変更された車両ＩＤを第２取得部４２から受け取ると、変更された車両ＩＤを、本端末装置１４の図示しないメモリに蓄積してもよい。生成部４４は、第１取得部から第１の位置情報を受け取ったとき、メモリから変更された車両ＩＤを読み出し、第１の位置情報と変更された車両ＩＤとを含むパケット信号を生成してもよい。生成部４４は、生成したパケット信号を本端末装置１４の送信部３４へ出力する。送信部３４は、生成部４４から受け取ったパケット信号をブロードキャスト送信する。このようにすることで、再開条件を満たしていると判定された後に、車両ＩＤが変更されることになる。
【００４９】
ここでは、再開条件の一例を列記するが、いずれかの再開条件を満足した場合に、本端末装置１４の制御部２４は、例えば、送信部３４にパケット信号の送信の再開を指示する。
（Ａ）制御部２４は、図示しないタイマを備え、送信部３４がパケット信号の送信を停止してからの期間を測定する。この場合、測定した期間が一定期間よりも長くなることが再開条件である。
（Ｂ）制御部２４は、第１取得部４０からの第１の位置情報を入力し、送信部３４がパケット信号の送信を停止してからの距離を測定する。この場合、測定した距離が一定距離をよりも長くなることが再開条件である。さらに、制御部２４は、第１取得部４０からの第１の位置情報を入力し、送信部３４がパケット信号の送信を停止してからの進行方位角の変化の累積値を測定してもよい。この場合、測定した累積値が一定値を越えることも再開条件に追加される。
【００５０】
（Ｃ）制御部２４は、第１取得部４０からの第１の位置情報を入力するとともに、地図データを参照する。この場合、走行中の道路属性が変化したこと、例えば、ＥＴＣ（Electronic Toll Collection System）ゲートを通過してから一定距離走行したことが再開条件である。
（Ｄ）前述の（４）と同様に、制御部２４は、第１取得部４０からの第１の位置情報を入力するとともに、所定のエリア、例えば、自宅周辺、目的地周辺等を予め規定する。この場合、第１車両１２ａが当該エリアに進入することが停止条件であれば、第１車両１２ａが当該エリアから出て行くことが再開条件である。また、第１車両１２ａが当該エリアから出て行くことが停止条件であれば、第１車両１２ａが当該エリアに進入することが再開条件である。
（Ｅ）制御部２４は、図示しないインターフェイスを介して運転者からの指示を受けつける。この場合、運転者からの指示を受けつけることが再開条件である。
（Ｆ）前述の（７）に連動し、制御部２４は、受信部３０における基地局装置１０から送信されたパケット信号の受信状況を確認する。この場合、第１車両１２ａが基地局装置１０から送信されたパケット信号を受信していない状態、すなわち、第１車両１２ａが図１に示したエリア２０２に存在しないこと（エリア外２０４に存在すること）が再開条件である。
【００５１】
また、制御部２４は、停止条件を満たしているかどうかを判定し、停止条件を満たしていると判定した場合に、制御部２４は、送信部３４にパケット信号の送信の停止を指示する例を説明したが、これに限定されない。
【００５２】
制御部２４は、例えば、停止条件を満たしていると判定した場合に、制御部２４は、生成部４４にパケット信号の生成の停止を指示してもよい。指示を受けた生成部４４は、第１取得部４０によって取得された第１の位置情報と車両ＩＤとを含むパケット信号の生成を停止する。これにより、停止条件を満たしていると判定された後、第１取得部４０によって取得された第１の位置情報と車両ＩＤとを含むパケット信号は生成されない。よって、生成部４４は、送信部３４へのパケット信号の出力を停止する。結果として、送信部３４は、パケット信号の送信を停止することになる。このようにすることで、停止条件を満たしていると判定された後に、本端末装置１４の送信部３４によるパケット信号の送信は停止されることになる。
【００５３】
また、制御部２４は、停止条件を満たしているかどうかを判定した後、再開条件を満たしていると判定した場合に、生成部４４にパケット信号の生成の再開を指示する。指示を受け取った生成部４４は、再開条件を満たしていると判定された後に、第１取得部４０から受け取った第１の位置情報と車両ＩＤとを含むパケット信号を生成し、生成したパケット信号を送信部３４へ出力する。送信部３４は、受け取ったパケット信号をブロードキャスト送信する。このようにすることで、再開条件を満たしていると判定された後に、本端末装置１４の送信部３４によるパケット信号の送信は再開されることになる。
【００５４】
この構成は、ハードウエア的には、任意のコンピュータのＣＰＵ（Central Processing Unit）、メモリ、その他のＬＳＩ（Large Scale Integration）で実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００５５】
以上の構成による通信システム１００の動作を説明する。図５は、図３の端末装置１４による送信手順の一例を示すフローチャートである。具体的には、図５は、本車両に搭載された本端末装置１４による送信手順の一例を示すフローチャートである。制御部２４は、停止条件を満たしているかどうかを判定する（Ｓ１０）。制御部２４が停止条件を満たしていると判定した場合（Ｓ１０のＹ）、送信部３４にパケット信号の送信の停止を指示する。指示を受けた送信部３４はパケット信号の送信を停止する（Ｓ１２）。制御部２４は、再開条件を満たすかどうかを判定する（Ｓ１４）。制御部２４が再開条件を満たしていないと判定した場合（Ｓ１４のＮ）、ステップＳ１２に戻る。
【００５６】
制御部２４が再開条件を満たしていると判定した場合（Ｓ１４のＹ）、第２取得部４２に車両ＩＤの変更を指示する。指示を受けた第２取得部４２は車両ＩＤを変更し、変更した車両ＩＤを生成部４４に出力する（Ｓ１６）。また、制御部２４は、送信部３４にパケット信号の送信の再開を指示する。指示を受けた送信部３４は、パケット信号の送信を再開する（Ｓ１８）。また、制御部２４が停止条件を満たさないと判定した場合（Ｓ１０のＮ）、ステップＳ１２からＳ１８はスキップされる。
【００５７】
これまでの制御部２４は、停止条件を満たしていると判定した場合に、送信部３４にパケット信号の送信の停止を指示するか、または生成部４４にパケット信号の停止を指示している。しかしながら、制御部２４は、停止条件を満たしていると判定した場合に、第１取得部４０に測位した第１の位置情報ではなく、ダミーの位置情報を生成部４４に出力する指示をしてもよい。指示を受けた第１取得部４０は、第１の位置情報の代わりにダミーの位置情報を生成部に出力する。ダミーの位置情報は、例えば、本端末装置１４の図示しないメモリに記憶されていてもよい。例えば、第１取得部４０は、停止条件を満たしている場合に、メモリからダミーの位置情報を取得し、生成部４４に出力する。ダミーの位置情報とは、第１の位置情報における存在位置とは異なった位置、あるいは無効な値が示された位置である。
【００５８】
また、制御部２４は、第１取得部４０にダミーの位置情報の出力を指示する場合に、制御部２４は、第２取得部４２に車両ＩＤの変更を指示する。第２取得部４２による車両ＩＤの変更については、上述した説明と同様であるので、ここでは説明を省略する。
【００５９】
その結果、生成部４４は、第１取得部４０から受け取ったダミーの位置情報と、第２取得部４２から受け取った変更された車両ＩＤとを含むパケット信号を生成する。そして、生成部４４は、生成したパケット信号を送信部３４へ出力する。送信部３４は、生成部４４から受け取ったパケット信号をブロードキャスト送信する。これにより、送信部３４は、停止条件を満たしている場合において、第１の位置情報と車両ＩＤとを含むパケット信号の送信を実質的に停止したことと同じになる。
【００６０】
なお、上述の説明では、制御部２４は、停止条件を満たしていると判定した場合に、制御部２４は、第２取得部４２に車両ＩＤの変更を指示するとしたが、これに限定されるものではない。例えば、制御部２４は、再開条件を満たしていると判定した場合に、制御部２４は、第２取得部４２に車両ＩＤの変更を指示してもよい。この場合、ダミーの位置情報を含むパケット信号には、変更前の車両ＩＤが含まれる。変更前の車両ＩＤとは、例えば、本端末装置１４の起動時において、第２取得部４２が生成した車両ＩＤである。なお、ダミーの位置情報を含むパケット信号には、車両ＩＤが含まれていてもよいし、含まれていなくてもよい。
【００６１】
以上の構成による通信システム１００の動作を説明する。図６は、端末装置１４による送信手順の他の一例を示すフローチャートである。本端末装置１４の制御部２４は、停止条件を満たしているかどうかを判定する（Ｓ３０）。制御部２４が停止条件を満たしていると判定した場合（Ｓ３０のＹ）、第１取得部４０にダミーの位置情報の出力を指示する。指示を受けた第１取得部４０は、第１の位置情報の代わりに、ダミーの位置情報を生成部４４に出力する。また、制御部２４は、第２取得部４２に車両ＩＤの変更を指示する。指示を受けた第２取得部４２は車両ＩＤを変更し、変更した車両ＩＤを生成部４４に出力する（Ｓ３２）。生成部４４は、第１取得部４０から受け取ったダミーの位置情報、および第２取得部４２から受け取った変更された車両ＩＤを含むパケット信号を生成し、生成したパケット信号を送信部３４に出力する。送信部３４は、ダミーの位置情報が含まれたパケット信号をブロードキャスト送信する（Ｓ３４）。
【００６２】
制御部２４は、再開条件を満たしているかどうかを判定する。制御部２４が再開条件を満たしていないと判定した場合（Ｓ３６のＮ）、ステップＳ３２に戻る。制御部２４が再開条件を満たしていると判定した場合（Ｓ３６のＹ）、制御部２４は、第１の位置情報の出力を指示する。指示を受けた第１取得部４０は、ダミーの位置情報の代わりに、第１取得部４０が測位により取得した第１の位置情報を生成部４４に出力する。生成部４４は、第１の位置情報および車両ＩＤを含むパケット信号を生成し、送信部３４に出力する。送信部３４は、生成部４４から受け取ったパケット信号をブロードキャスト送信する（Ｓ３８）。制御部２４において停止条件が満たされない場合（Ｓ３０のＮ）、ステップＳ３２からＳ３８はスキップされる。
【００６３】
本開示によれば、本車両に搭載された端末装置は、停止条件を満たしている場合に第１の位置情報および車両ＩＤを含むパケット信号の送信が停止される。したがって、停止条件を満たしている場合において、第１取得部により取得される第１の位置情報を他の端末装置に知らせなくできる。本車両に搭載された端末装置から送信する情報（この例では、第１の位置情報および車両ＩＤ）を他の端末装置が受信し、受信した情報を利用し、他の端末装置を搭載する他の車両が本車両を追跡する行為を困難にできる。また、制御部が停止条件を満たしていると判定した場合、第１の位置情報の代わりにダミーの位置情報を含むパケット信号がブロードキャスト送信されるので、実際の測位により取得した第１の位置情報を他の端末装置に知らせなくできる。
【００６４】
また、制御部が再開条件を満たしていると判定した場合に、この判定がされた後に、第１取得部により取得される第１の位置情報および車両ＩＤを含むパケット信号が送信部によりブロードキャスト送信される。本車両を追跡する車両ではない他の車両に搭載された他の端末装置において運転支援を実行させることができる。また、制御部が再開条件を満たしていると判定した場合、車両ＩＤは、変更される、追跡行為を更に困難にできる。また、本車両に搭載された端末装置がブロードキャスト送信するパケット情報に含まれる情報を利用した追跡行為が更に困難になるので、通信システムの悪用を抑制できる。また、制御部が停止条件を満たしていると判定した場合、第１の位置情報を知らせないので、他の車両に搭載された他の端末装置が車両ＩＤを送信していない場合でも、追跡を防止できる。
【００６５】
（実施の形態２）
次に、実施の形態２を説明する。実施の形態２は、実施の形態１と同様に、車両に搭載された端末装置間において車車間通信を実行するとともに、交差点等に設置された基地局装置から端末装置へ路車間通信も実行する通信システムに関する。ここでも、本車両を追跡する車両に搭載された他の端末装置は、本車両に搭載された端末装置からブロードキャスト送信されるパケット信号を受信し、受信したパケット信号に含まれる情報を用いて、本車両を追跡するものとする。本実施の形態は、本車両の追跡をより困難にすることを目的とする。
【００６６】
本端末装置が車両ＩＤを変更しても、本車両の周囲の他の車両に搭載された他の端末装置から送信される車両ＩＤが変更されなければ、車両ＩＤを変更した端末装置を搭載した車両が再度特定されてしまうおそれがある。これに対応するために、実施の形態２では、１台の車両に搭載された端末装置が車両ＩＤを変更する場合に、当該車両の周辺の他の車両に搭載された他の端末装置も車両ＩＤを変更する。実施の形態２に係る通信システム１００、端末装置１４は、図１、図３と同様のタイプである。ここでは、実施の形態１との差異を中心に説明する。
【００６７】
ここでは、図７を使用して本実施の形態における課題を説明し、図８を使用して本実施の形態の概要を説明する。図７は、通信システム１００の比較対象における車両ＩＤ変更処理の概要を示す図である。図７の（ａ）は、比較対象における車両ＩＤ変更処理を行う前の車両ＩＤを示す図である。図７、８を用いて説明をする第１車両１２ａ、および第３車両１２ｃから第９車両１２ｉは、停車しているものとする。このとき、第１車両１２ａ、および第３車両１２ｃから第９車両１２ｉのそれぞれに搭載された端末装置１４は、少なくとも起動している状態であるとする。また、図７、８には示していないが、例えば、第２車両１２ｂが第１車両１２ａを追跡しているとする。図示のごとく、第１車両１２ａ、第３車両１２ｃから第９車両１２ｉが互いに近接して停車する。ここで、例えば、第１車両１２ａに搭載された端末装置１４（図示せず）に設定された車両ＩＤは、「１」のごとく車両１２に示される。図７の（ｂ）は、比較対象における車両ＩＤ変更処理を行った後の車両ＩＤを示す図である。図示のごとく、第１車両１２ａに搭載された端末装置１４だけが車両ＩＤを「１」から「９０」に変更する。第３車両１２ｃから第９車両１２ｉのそれぞれに搭載された他の端末装置１４では、車両ＩＤが変更されない。例えば、図７には、図示しない第２車両１２ｂに搭載された他の端末装置１４は、変更前の車両ＩＤと変更後の車両ＩＤとの対応がつけやすいので、車両ＩＤが変更された車両を第１車両１２ａと特定すればよい。よって、第１車両１２ａを追跡する第２車両１２ｂに搭載された他の端末装置１４により、第１車両１２ａが再度、特定されるおそれがある。
【００６８】
図８は、通信システム１００における車両ＩＤ変更処理の概要を示す図である。図８の（ａ）は、通信システム１００における車両ＩＤ変更処理を行う前の車両ＩＤを示す図であり、図７の（ａ）と同様に示される。図８の（ｂ）は、本実施の形態の通信システム１００において、車両ＩＤ変更処理を行った後の車両ＩＤを示す図である。図示のごとく、第１車両１２ａに搭載された端末装置１４が車両ＩＤを変更する場合、第３車両１２ｃから第９車両１２ｉのそれぞれに搭載された他の端末装置１４において車両ＩＤも変更される。第１車両１２ａに加えて、第１車両１２ａの周囲に停車する第３車両１２ｃから第９車両１２ｉの車両ＩＤが変更される。よって、第１車両１２ａを追跡する他の車両に搭載された他の端末装置１４は、変更前の車両ＩＤと変更後の車両ＩＤとの対応がつけにくくなる。したがって、第１車両１２ａを追跡する第２車両１２ｂに搭載された他の端末装置１４により、第１車両１２ａが特定されにくくなる。
【００６９】
図８の（ａ）と（ｂ）を用いて説明した車両ＩＤ変更処理の一例を説明する。ここでは路車間通信を用いて実現する例を説明する。説明を簡単にするため、第１車両１２ａの周囲に停車している第３車両１２ｃおよび第４車両１２ｄは、図１に示すエリア２０２内に位置するものとする。第１車両１２ａ、第３車両１２ｃおよび第４車両１２ｄに搭載された端末装置１４は、それぞれ、基地局装置１０からブロードキャスト送信されるパケット信号を、受信できることを意味する。また、基地局装置１０は、第１車両１２ａに搭載された端末装置１４からブロードキャスト送信されるパケット信号を受信できることを意味する。
【００７０】
以下の説明において、第１車両１２ａに搭載された端末装置１４を第１端末装置１４ａと称して説明をする。また、第３車両１２ｃに搭載された端末装置１４を第３端末装置１４ｃ、第４車両１２ｄに搭載された端末装置１４を第４端末装置１４ｄとして説明する。
【００７１】
まず、第１端末装置１４ａの生成部４４は、変更要求が含まれたパケット信号を生成し、第１端末装置１４ａの送信部３４は、変更要求を含むパケット信号をブロードキャスト送信する。基地局装置１０は、変更要求を含むパケット信号を第１端末装置１４ａから受信すると、停止指示を含むパケット信号を生成し、停止指示を含むパケット信号をブロードキャスト送信する。
【００７２】
第１端末装置１４ａの受信部３０は、停止指示を含むパケット信号を基地局装置１０から受信すると、パケット信号に含まれる停止指示を第１端末装置１４ａの制御部２４へ出力する。第１端末装置１４ａの制御部２４は、第１端末装置１４ａの受信部３０から出力された停止指示を受け取ると、停止条件を満たしたと判定する。第１端末装置１４ａの制御部２４は、例えば、第１端末装置１４ａの送信部３４に、パケット信号のブロードキャスト送信の停止を指示する。指示を受けた第１端末装置１４ａの送信部３４は、パケット信号のブロードキャスト送信を停止する。これにより、第１端末装置１４ａは、停止指示を含むパケット信号を基地局装置１０から受信すると、パケット信号のブロードキャスト送信を停止する。
【００７３】
また、第１端末装置１４ａと同様に、第３端末装置１４ｃは、停止指示を含むパケット信号を基地局装置１０から受信する。第３端末装置１４ｃの受信部３０は、停止指示を含むパケット信号を基地局装置１０から受信すると、パケット信号に含まれる停止指示を第３端末装置１４ｃの制御部２４へ出力する。第３端末装置１４ｃの制御部２４は、第１端末装置１４ａの受信部３０から出力された停止指示を受け取ると、停止条件を満たしたと判定する。第３端末装置１４ｃの制御部２４は、例えば、第３端末装置１４ｃの送信部３４に、パケット信号のブロードキャスト送信の停止を指示する。指示を受けた第３端末装置１４ｃの送信部３４は、パケット信号のブロードキャスト送信を停止する。
【００７４】
なお、第４端末装置１４ｄが、停止指示を含むパケット信号を基地局装置１０から受信したときの動作は、上述の第３端末装置１４ｃの動作と同じである。つまり、上述の第３端末装置１４ｃを第４端末装置１４ｄに置き換えて読めばよいので、ここでは説明を省略する。これにより、第１端末装置１４ａ、第３端末装置１４ｃおよび第４端末装置１４ｄは、それぞれ、停止指示を含むパケット信号を基地局装置１０から受信すると、パケット信号のブロードキャスト送信を停止する。
【００７５】
これにつづいて、基地局装置１０は、再開指示を含むパケット信号をブロードキャスト送信する。第１端末装置１４ａの受信部３０は、再開指示を含むパケット信号を基地局装置１０から受信すると、パケット信号に含まれる再開指示を第１端末装置１４ａの制御部２４へ出力する。第１端末装置１４ａの制御部２４は、第１端末装置１４ａの受信部３０から出力された再開指示を受け取ると、再開条件を満たしたと判定する。第１端末装置１４ａの制御部２４は、例えば、第１端末装置１４ａの第２取得部４２に車両ＩＤの変更を指示する。指示を受けた第１端末装置１４ａの第２取得部４２は、車両ＩＤの変更を変更する。第１端末装置１４ａの制御部２４は、例えば、第１端末装置１４ａの送信部３４に、パケット信号のブロードキャスト送信の再開を指示する。指示を受けた第１端末装置１４ａの送信部３４は、指示を受けた後に第１端末装置１４ａの第１取得部４０が取得した第１の位置情報および変更された車両ＩＤを含むパケット信号をブロードキャスト送信する。
【００７６】
また、第３端末装置１４ｃの受信部３０は、再開指示を含むパケット信号を基地局装置１０から受信すると、パケット信号に含まれる再開指示を第３端末装置１４ｃの制御部２４へ出力する。第３端末装置１４ｃの制御部２４は、第３端末装置１４ｃの受信部３０から出力された再開指示を受け取ると、再開条件を満たしたと判定する。第３端末装置１４ｃの制御部２４は、例えば、第３端末装置１４ｃの第２取得部４２に車両ＩＤの変更を指示する。指示を受けた第３端末装置１４ｃの第２取得部４２は、車両ＩＤの変更を変更する。第３端末装置１４ｃの制御部２４は、例えば、第３端末装置１４ｃの送信部３４に、パケット信号のブロードキャスト送信の再開を指示する。指示を受けた第３端末装置１４ｃの送信部３４は、指示を受けた後に第３端末装置１４ｃの第１取得部４０が取得した第２の位置情報および変更された車両ＩＤを含むパケット信号をブロードキャスト送信する。
【００７７】
なお、第４端末装置１４ｄが、再開指示を含むパケット信号を基地局装置１０から受信したときの動作は、上述の第３端末装置１４ｃの動作と同じである。つまり、上述の第３端末装置１４ｃを第４端末装置１４ｄに置き換えて読めばよいので、ここでは説明を省略する。以上の説明により、第１端末装置１４ａ、第３端末装置１４ｃおよび第４端末装置１４ｄは、それぞれ、再開指示を含むパケット信号を基地局装置１０から受信すると、パケット信号のブロードキャスト送信を再開する。
【００７８】
上述の例では、基地局装置１０から再開指示を含むパケット信号を受信した、第１端末装置１４ａ、第３端末装置１４ｃおよび第４端末装置１４ｄがそれぞれ、車両ＩＤを変更する。つまり、第１端末装置１４ａにおいて車両ＩＤが変更されるとともに、第３端末装置１４ｃにおいて車両ＩＤが変更されることになる。よって、第１車両１２ａを追跡する第２車両１２ｂに搭載された他の端末装置１４は、第１車両１２ａの車両ＩＤを特定がより困難になる。
【００７９】
また、図８の（ａ）と（ｂ）の車両ＩＤ変更処理は、車車間通信だけを用いて実現することもできる。説明を簡単にするため、第１車両１２ａの周囲に第３車両１２ｃ、第４車両１２ｄが停車しているものとする。また、第３車両１２ｃに搭載された第３端末装置１４ｃおよび、第４車両１２ｄに搭載された第４端末装置１４ｄは、それぞれ、第１端末装置１４ａからブロードキャスト送信されるパケット信号を受信可能な範囲内に位置するものとする。
【００８０】
まず、第１端末装置１４ａの制御部２４は、停止条件を満たしているかどうかを判定する。第１端末装置１４ａの制御部２４は、停止条件を満たしていると判定した場合、変更指示を含むパケット信号の生成を生成部４４に指示する。変更指示とは、他の端末装置１４または他の端末装置１４を搭載する他の車両１２を識別するための識別情報（車両ＩＤ）を変更する指示である。
【００８１】
指示を受けた第１端末装置１４ａの生成部４４は、変更指示を含むパケット信号を生成し、第１端末装置１４ａの送信部３４へ出力する。第１端末装置１４ａの送信部３４は、第１端末装置１４ａの生成部４４から受け取ったパケット信号をブロードキャスト送信する。これにより、変更指示を含むパケット信号がブロードキャスト送信される。
【００８２】
第１端末装置１４ａの送信部３４が変更指示を含むパケット信号をブロードキャスト送信した後、第１端末装置１４ａの制御部２４は、第１端末装置１４ａの制御部２４の送信部３４にパケット信号の送信の停止を指示する。指示を受けた第１端末装置１４ａの送信部３４は、生成部４４から受け取ったパケット信号の送信を停止する。
【００８３】
また、第３端末装置１４ｃは、変更指示を含むパケット信号を第１端末装置１４ａから受信する。第３端末装置１４ｃの受信部３０は、パケット信号に含まれる変更指示を第３端末装置１４ｃの制御部２４へ出力する。第３端末装置１４ｃの制御部２４は、第３端末装置１４ｃの受信部３０から出力された変更指示を受け取ると、停止条件を満たしたと判定する。第３端末装置１４ｃの制御部２４は、例えば、第３端末装置１４ｃの送信部３４に、パケット信号のブロードキャスト送信の停止を指示する。指示を受けた第３端末装置１４ｃの送信部３４は、指示を受けた後に、第３端末装置１４ｃの第１取得部４０が取得した第２の位置情報および車両ＩＤを含むパケット信号のブロードキャスト送信を停止する。これにより、第３端末装置１４ｃは、変更指示を含むパケット信号を第１端末装置１４ａから受信すると、パケット信号のブロードキャスト送信を停止する。
【００８４】
なお、第４端末装置１４ｄが、変更指示を含むパケット信号を第１端末装置１４ａから受信したときの動作は、上述の第３端末装置１４ｃの動作と同じである。つまり、上述の第３端末装置１４ｃを第４端末装置１４ｄに置き換えて読めばよいので、ここでは説明を省略する。
【００８５】
このようにすることで、第１端末装置１４ａにおいて、パケット信号のブロードキャスト送信が停止されると、第３端末装置１４ｃおよび第４端末装置１４ｄのそれぞれにおいても、パケット信号の送信が停止される。
【００８６】
この後、第１端末装置１４ａ、第３端末装置１４ｃおよび第４端末装置１４ｄのそれぞれの制御部２４は、再開条件を満たしているかどうかを判定する。例えば、第１端末装置１４ａの制御部２４は、再開条件を満たしていると判定した場合、第１端末装置１４ａの制御部２４は、例えば、第１端末装置１４ａの第２取得部４２に車両ＩＤの変更を指示する。指示を受けた第１端末装置１４ａの第２取得部４２は、車両ＩＤの変更を変更する。第１端末装置１４ａの制御部２４は、例えば、第１端末装置１４ａの送信部３４に、パケット信号のブロードキャスト送信の再開を指示する。指示を受けた第１端末装置１４ａの送信部３４は、指示を受けた後に第１端末装置１４ａの第１取得部４０が取得した第１の位置情報および変更された車両ＩＤを含むパケット信号をブロードキャスト送信する。これにより、第１端末装置１４ａによるパケット信号のブロードキャスト送信が再開される。
【００８７】
また、第３端末装置１４ｃの制御部２４は、再開条件を満たしていると判定した場合、第３端末装置１４ｃの制御部２４は、例えば、第３端末装置１４ｃの第２取得部４２に車両ＩＤの変更を指示する。指示を受けた第３端末装置１４ｃの第２取得部４２は、車両ＩＤの変更を変更する。第３端末装置１４ｃの制御部２４は、例えば、第３端末装置１４ｃの送信部３４に、パケット信号のブロードキャスト送信の再開を指示する。指示を受けた第３端末装置１４ｃの送信部３４は、指示を受けた後に第３端末装置１４ｃの第１取得部４０が取得した第２の位置情報および変更された車両ＩＤを含むパケット信号をブロードキャスト送信する。これにより、第３端末装置１４ｃによるパケット信号のブロードキャスト送信が再開される。
【００８８】
なお、第４端末装置１４ｄの制御部２４が、再開条件を満たしていると判定した場合における、第４端末装置１４ｄの動作については、上述の第３端末装置１４ｃの動作と同じである。つまり、上述の第３端末装置１４ｃを第４端末装置１４ｄに置き換えて読めばよいので、ここでは説明を省略する。このようにすることで、第１端末装置１４ａにおいて、車両ＩＤが変更されると、第３端末装置１４ｃおよび第４端末装置１４ｄのそれぞれにおいても、車両ＩＤが変更される。
【００８９】
例えば、再開条件がパケット信号の送信を停止してから予め定めた期間を経過することであるとする。この場合、第１端末装置１４ａ、第３端末装置１４ｃおよび第４端末装置１４ｄのそれぞれにおいて、予め定められた期間にわたってパケット信号の送信が停止された後、再開条件が満たされると、第１端末装置１４ａ、第３端末装置１４ｃおよび第４端末装置１４ｄのそれぞれの制御部２４は、第２取得部４２に車両ＩＤの変更を指示するとともに、送信部３４にパケット信号の送信の再開を指示する。そのため、パケット信号に含まれた車両ＩＤは変更されている。
【００９０】
前述の処理において、第１端末装置１４ａの制御部２４は、停止条件を満たしているかどうかの判定を実行し、停止条件を満たしていると判定した場合に、変更要求あるいは変更指示が含まれたパケット信号をブロードキャスト送信する。ここで、停止条件による判定は実施の形態１と同様になされればよいので、ここでは説明を省略する。
【００９１】
さらに、実施の形態１による停止条件に加えて、第１車両１２ａの周囲数ｍ範囲などの近接位置からのパケット信号に、一定時間にわたって同一の車両ＩＤが含まれていることが停止条件に含まれてもよい。これによると、第１端末装置１４ａと、近接する他の端末装置１４がほぼ同時にパケット信号の送信を停止できる。更に、第１端末装置１４ａと、近接して位置する第３端末装置１４ｃおよび第４端末装置１４ｄが、それぞれ車両ＩＤを変更し、パケット信号のブロードキャスト送信の再開がほぼ同時に行われる。
【００９２】
以上の構成による通信システム１００の動作を説明する。図９は、通信システム１００による変更手順を示すシーケンス図である。図９に示す例では、第１車両１２ａ、第３車両１２ｃおよび第４車両１２ｄが、図１に示すエリア２０２内に位置するものとする。このことは、第１端末装置１４ａ、第３端末装置１４ｃ、第４端末装置１４ｄは、それぞれ、基地局装置１０からブロードキャスト送信されるパケット信号を、受信できることを意味する。また、基地局装置１０は、第１端末装置１４ａからブロードキャスト送信されるパケット信号を受信できることを意味する。
【００９３】
第１端末装置１４ａは、変更要求を含むパケット信号をブロードキャスト送信する（Ｓ５０）。変更要求を含むパケット信号を受信した基地局装置１０は、停止指示を含むパケット信号をブロードキャスト送信する（Ｓ５２、Ｓ５４、Ｓ５６）。停止指示を含むパケット信号を基地局装置１０から受信した第１端末装置１４ａ、第３端末装置１４ｃ、第４端末装置１４ｄは、それぞれ、パケット信号の送信を停止する（Ｓ５８、Ｓ６０、Ｓ６２）。次に、基地局装置１０は、再開指示を含むパケット信号をブロードキャスト送信する（Ｓ６４、Ｓ６６、Ｓ６８）。再開指示を含むパケット信号を基地局装置１０から受信した第１端末装置１４ａ、第３端末装置１４ｃ、第４端末装置１４ｄは、それぞれ、車両ＩＤを変更し（Ｓ７０、Ｓ７２、Ｓ７４）、パケット信号のブロードキャスト送信を再開する（Ｓ７６、Ｓ７８、Ｓ８０）。
【００９４】
図１０は、通信システム１００による別の変更手順を示すシーケンス図である。第１端末装置１４ａは、変更指示を含むパケット信号をブロードキャスト送信する（Ｓ１００、Ｓ１０２）。変更指示を含むパケット信号をブロードキャスト送信後、第１端末装置１４ａは、パケット信号の送信を停止する。また、変更指示を含むパケット信号を第１端末装置１４ａから受信した第３端末装置１４ｃ、第４端末装置１４ｄは、パケット信号の送信を停止する（Ｓ１０４、Ｓ１０６、Ｓ１０８）。また、第１端末装置１４ａ、第３端末装置１４ｃ、第４端末装置１４ｄは、それぞれ、再開条件を満たした場合、車両ＩＤを変更し（Ｓ１１０、Ｓ１１２、Ｓ１１４）、パケット信号のブロードキャスト送信を再開する（Ｓ１１６、Ｓ１１８、Ｓ１２０）。
【００９５】
本開示の端末装置は、本車両に搭載された端末装置が車両ＩＤを変更したとき、本車両の周囲に位置する他の車両に搭載された他の端末装置も車両ＩＤを変更するので、車両ＩＤを変更した端末装置の特定を困難にできる。また、車両ＩＤを変更した端末装置の特定が困難になるので、本開示の端末装置を搭載する車両の追跡行為をさらに困難にできる。
【００９６】
本開示の一態様の概要は、次の通りである。本開示の一態様に係る端末装置は、端末装置が搭載される本車両の第１の位置情報を測位によって取得する取得部と、取得部において取得した第１の位置情報と、端末装置を識別するための識別情報とを含むパケット信号を送信する送信部と、他の車両に搭載される他の端末装置からのパケット信号を受信し、パケット信号に含まれた他の車両の第２の位置情報を取得する受信部と、受信部において取得した第２の位置情報と、取得部において取得した第１の位置情報とをもとに、警告を通知する通知部とを備える。送信部は、停止条件を満たしている場合、第１の位置情報と識別情報とを含むパケット信号の送信を停止し、受信部は、停止条件を満たしている場合であっても、他の端末装置から送信されるパケット信号を受信する。
【００９７】
この態様によると、端末装置は、停止条件を満たしている場合に第１の位置情報と識別情報とを含むパケット信号の送信を停止する。したがって、本車両を追跡する他の車両に搭載された端末装置が、本車両に搭載された端末装置から送信されるパケット信号に含まれる情報を利用し、他の端末装置を搭載する他の車両が、本車両を追跡する行為を困難にできる。
【００９８】
端末装置は、更に、停止条件を満たしているかどうかを判定する制御部を備えてもよい。  制御部が停止条件を満たしていると判定した場合、送信部は、停止条件を満たしていると判定された後に、取得部が取得した第１の位置情報と識別情報とを含むパケット信号の送信を停止してもよい。この場合、停止条件を満たしていると判定された後に、パケット信号の送信を停止するので、停止条件を満たしていると判定された後に、取得部が取得した第１の位置情報を他の端末装置に知らせなくできる。
【００９９】
制御部が停止条件を満たしていると判定した場合、送信部は、第１の位置情報の代わりにダミーの位置情報を含むパケット信号を送信してもよい。この場合、ダミーの位置情報を含むパケット信号を送信するので、制御部が停止条件を満たしていると判定された後に、取得部が取得した第１の位置情報を他の端末装置に知らせなくできる。
【０１００】
また、制御部は、停止条件を満たしていると判定した後、更に、再開条件を満たしているかどうかを判定してもよい。制御部が再開条件を満たしていると判定した場合、送信部は、再開条件を満たしていると判定された後に、取得部が取得した第１の位置情報と識別情報とを含むパケット信号を送信してもよい。この場合、再開条件を満たした場合に、第１の位置情報と識別情報とを含むパケット信号の送信が再開されるので、本車両を追跡する車両とは異なる車両に搭載された他の端末装置において運転支援を実行させることができる。
【０１０１】
また、制御部は、停止条件を満たしていると判定した後、更に、再開条件を満たしているかどうかを判定してもよい。制御部が再開条件を満たしていると判定した場合、識別情報は変更されてもよい。送信部は、再開条件を満たしていると判定された後に、取得部が取得した第１の位置情報と変更された識別情報とを含むパケット信号を送信してもよい。この場合、識別情報が変更されるので、本車両を追跡する他の車両の追跡行為をさらに困難にできる。
【０１０２】
また、送信部は、他の端末装置を識別するための識別情報を変更する要求を含むパケット信号を送信してもよい。この場合、識別情報を変更する要求を含むパケット信号を受信した他の端末装置においても、識別情報が変更されるので、本車両を追跡する他の車両の追跡行為をさらに困難にできる。
【０１０３】
また、端末装置は、更に、第１の位置情報を取得部から受け取って、受け取った第１の位置情報と、識別情報とを含むパケット信号を生成し、生成したパケット信号を送信部へ出力する生成部と、停止条件を満たしているかどうかを判定する制御部と備えてもよい。送信部は、生成部から受け取ったパケット信号を送信してもよい。制御部が停止条件を満たしていると判定した場合、生成部は、停止条件を満たしていると判定された後に、取得部から受け取った第１の位置情報と、識別情報とを含むパケット信号の生成を停止してもよい。
【０１０４】
また、端末装置は、更に、ダミーの位置情報を記憶するメモリを備えてもよい。制御部が停止条件を満たしていると判定した場合、取得部は、メモリからダミーの位置情報を取得して、取得したダミーの位置情報を生成部へ出力してもよい。生成部は、取得部から受け取ったダミーの位置情報を含むパケット信号を生成し、生成したパケット信号を送信部へ出力してもよい。
【０１０５】
また、制御部は、停止条件を満たしていると判定した後、更に、再開条件を満たしているかどうかを判定し、制御部が再開条件を満たしていると判定した場合、生成部は、再開条件を満たしていると判定された後に、取得部から受け取った第１の位置情報と識別情報とを含むパケット信号を生成し、生成したパケット信号を送信部へ出力してもよい。
【０１０６】
また、制御部は、停止条件を満たしていると判定した後、更に、再開条件を満たしているかどうかを判定し、制御部が再開条件を満たしていると判定した場合、識別情報は変更され、生成部は、再開条件を満たしていると判定された後に、取得部が取得した第１の位置情報と変更された識別情報とを含むパケット信号を生成し、生成したパケット信号を送信部へ出力してもよい。
【０１０７】
また、端末装置は、更に、乱数を生成する乱数生成器を備えてもよい。制御部が再開条件を満たしていると判定した場合、識別情報は、乱数生成器が生成した乱数を用いて変更されてもよい。
【０１０８】
また、制御部は、タイマを備えてもよい。制御部は、タイマを用いて送信部によりパケット信号が送信されている間の所定の時点を起点とし、起点からの経過期間を測定し、タイマを用いて測定した期間が予め定めた期間よりも長くなった場合、制御部は、停止条件を満たしたと判定してもよい。
【０１０９】
また、制御部は、送信部により前記パケット信号が送信されている間の所定の時点を起点とし、起点からの走行距離を測定し、測定した走行距離が予め定めた距離よりも長くなった場合、制御部は、停止条件を満たしたていると判定してもよい。
【０１１０】
また、制御部は、タイマを備えてもよい。制御部が、停止条件を満たしていると判定した場合、制御部は、タイマを用いてパケット信号の送信を停止してからの経過期間を測定し、タイマにより測定した経過期間が予め定めた期間よりも長くなった場合、制御部は、再開条件を満たしていると判定してもよい。
【０１１１】
また、制御部が、停止条件を満たしていると判定した場合、制御部は、パケット信号の送信を停止してからの走行距離を測定し、測定した走行距離が予め定めた距離よりも長くなった場合、制御部は、再開条件を満たしていると判定してもよい。
【０１１２】
また、送信部は、パケット信号をブロードキャスト送信してもよい。
【０１１３】
また、取得部、送信部、受信部、および通知部のうちの少なくとも１つはプロセッサを備えてもよい。
【０１１４】
以上、本開示の端末装置を実施の形態をもとに説明した。この実施の形態は例示であり、それらの各構成要素あるいは各処理プロセスの組合せにいろいろな変形例が可能なこと、またそうした変形例も本開示の範囲にあることは当業者に理解されるところである。
【０１１５】
本実施の形態１、２において次の処理が実行されてもよい。
（１）停止条件を満たしていることを制御部２４が確認した場合、送信部３４は、通常送信時よりも送信電力を低減してパケット信号をブロードキャスト送信してもよい。
（２）通知部４８において所定時間内に支援が発生しないことを制御部２４が確認した場合、第２取得部４２は、車両ＩＤを変更してもよい。
本変形例によれば、構成の自由度を向上できる。
【０１１６】
実施の形態１、２において、車両１２は、自動車とされている。しかしながらこれに限らず、車両１２は、自動車以外のもの、例えば、二輪車等であってもよい。本変形例によれば、構成の自由度を向上できる。
【０１１７】
実施の形態１、２において、通知部４８は、第１の位置情報の送信を停止している場合に、送信停止中であること（あるいは追跡行為防止モードでの運転支援中であること）を運転者に通知するようにしてもよい。
【符号の説明】
【０１１８】
１０  基地局装置、  １２  車両、  １４  端末装置、  ２０  通信部、  ２２  処理部、  ２４  制御部、  ３０  受信部、  ３２  タイミング特定部、  ３４  送信部、  ４０  第１取得部、  ４２  第２取得部、  ４４  生成部、  ４８  通知部、  １００  通信システム。
【図１】
2017184225.tif 000003
【図２】
2017184225.tif 000004
【図３】
2017184225.tif 000005
【図４】
2017184225.tif 000006
【図５】
2017184225.tif 000007
【図６】
2017184225.tif 000008
【図７】
2017184225.tif 000009
【図８】
2017184225.tif 000010
【図９】
2017184225.tif 000011
【図１０】
2017184225.tif 000012